(57)【特許請求の範囲】
【請求項１】
原稿を載置する原稿台と、原稿の画像を撮像する撮像手段と、原稿と撮像手段までの物像間距離を一定に保ちつつ原稿の画像を移動走査する走査手段と、該走査手段を支持する少なくとも１つの支持手段と、前記走査手段を移動させる駆動手段とを備える画像読取装置において、
前記駆動手段を前記撮像手段と前記支持手段との間に設け、
前記走査手段の移動方向と垂直な方向において前記撮像手段の中心が前記原稿台に載置される最大原稿の中心に対して前記駆動手段と反対側となるように配置し、
前記走査手段に走査された原稿の画像を前記撮像手段に結像するためのシフトレンズを有することを特徴とする画像読取装置。
【請求項２】
前記走査手段の移動方向と垂直な方向において、前記撮像手段を制御するＣＣＤ基板を、前記原稿台に載置される最大原稿の中心に対して前記駆動手段と反対側に寄せて配置したことを特徴とする請求項１記載の画像読取装置。
【請求項３】
前記走査手段の移動方向と垂直な方向において、前記原稿台に載置される最大原稿の中心と、前記撮像手段の中心との間に、前記シフトレンズの中心が位置するように配置したことを特徴とする請求項１または２記載の画像読取装置。
【発明の詳細な説明】
【０００１】
【発明の属する技術分野】
本発明は、原稿を走査してＣＣＤ素子によって画像を読み取る画像読取装置に関する。
【０００２】
【従来の技術】
従来、この種の画像読取装置では、図４に示すように、光源１０５、ミラー１０６等を備えた走査台１０７が駆動軸１０２上に設けられた巻取りプーリ１０３に巻取られるワイヤー１０４に連結されており、駆動モータ１０１によって駆動軸１０２を回転駆動することによって走査台１０７を移動させることによって、原稿台ガラス上に載置された原稿の画像をＣＣＤ素子１０８上に結像させて画像を読み取っていた。
【０００３】
【発明が解決しようとする課題】
ところで、近年、画像読取装置の小型化が急速に進み、これに伴って駆動モータ１０１は走査台１０７を支持する前後一対のレール１０９の内側に配置される構成が採用されるようになっている。
【０００４】
しかしながら、図４に示すように、駆動モータ１０１よりも光学的に原稿に近い位置にＣＣＤ素子１０８を配置していたため、原稿面からＣＣＤ素子１０８までの物像間距離を十分確保することができず、画角が大きくなって像面湾曲が劣化してしまうという問題があった。
【０００５】
本発明は上記問題に鑑みてなされたもので、その目的とする処は、所要の物像間距離を確保しつつコンパクト化を図ることができる画像読取装置を提供することにある。
【０００６】
【課題を解決するための手段】
上記目的を達成するため、請求項１記載の発明は、原稿を載置する原稿台と、原稿の画像を撮像する撮像手段と、原稿と撮像手段までの物像間距離を一定に保ちつつ原稿の画像を移動走査する走査手段と、該走査手段を支持する少なくとも１つの支持手段と、前記走査手段を移動させる駆動手段とを備える画像読取装置において、前記駆動手段を前記撮像手段と前記支持手段との間に設け、
前記走査手段の移動方向と垂直な方向において前記撮像手段の中心が前記原稿台に載置される最大原稿の中心に対して前記駆動手段に近接する側とは反対側になるように配置し、前記走査手段に走査された原稿の画像を前記撮像手段に結像するためのシフトレンズを有することを特徴とする。
【０００７】
請求項２記載の発明は、請求項１記載の発明において、前記走査手段の移動方向と垂直な方向において、前記撮像手段を制御するＣＣＤ基板を、前記原稿台に載置される最大原稿の中心に対して前記駆動手段と反対側に寄せて配置したことを特徴とする。
【０００８】
請求項３記載の発明は、請求項１または２記載の発明において、前記走査手段の移動方向と垂直な方向において、原稿台に載置される最大原稿の中心と、前記撮像手段の中心との間に、前記シフトレンズの中心が位置するように配置したことを特徴とする。
【０００９】
【発明の実施の形態】
以下に本発明の実施の形態を添付図面に基づいて説明する。
【００１０】
＜参考の実施形態＞
図１は本発明の参考実施形態に係る画像読取装置の平面図、図２は同画像読取装置の側面図である。
【００１１】
図２において、１は原稿台ガラス、２はランプ３と第１ミラー４を支持する第１走査台、５は第２ミラー６と第３ミラー７を支持する第２走査台、８はレンズ、９はＣＣＤ素子１０を制御するＣＣＤ基板である。
【００１２】
ところで、図１に示すように、前記ＣＣＤ素子１０は第１走査台２と第２走査台５の走査方向Ｙに対して垂直方向に配列されており、該ＣＣＤ素子１０の配列方向の中心と本画像読取装置で読み取ることができる最大原稿の画像中心とが略一致しており、これらの中心はＣＣＤ基板９の駆動モータ３３に近接している端部側に位置している。
【００１３】
又、第１走査台２と第２走査台５はレール２１ａ，２１ｂによって移動可能に支持されている。そして、ワイヤー２２ａ，２２ｂは、不図示の枠体に固定された端部２３ａ，２３ｂから第２走査台５に回転可能に支持されている第２プーリ２４ａ，２４ｂにガイドされ、締結部材２５ａ，２５ｂによって第１走査台２に締結され、ワイヤープーリ２６ａ，２６ｂに数周巻き付けられ、枠体に回転可能に支持されている固定プーリ２７ａ，２７ｂにガイドされ、再び第２プーリ２４ａ，２４ｂにガイドされてから、バネ２８ａ，２８ｂを介して枠体に固定されている。
【００１４】
ワイヤープーリ２６ａ，２６ｂが固定されている駆動軸２９は、枠体に回転可能に支持され、駆動プーリ３０，３１及び駆動ベルト３２を介して駆動モータ３３により回転駆動される。
【００１５】
以上の構成において、第１ミラー４と第２ミラー６及び第３ミラー７で光路を折り曲げながらレンズ８でＣＣＤ素子１０上に原稿Ｇの画像を結像する。そして、駆動モータ３３を回転駆動すると、第１走査台２と第２走査台５はワイヤー２２ａ，２２ｂ等を介して図１の矢印Ｙ方向に２対１の速度関係で移動されるため、原稿台ガラス１に載置された原稿ＧからＣＣＤ素子１０までの物像間距離を一定に保ちつつ画像を走査することができ、ＣＣＤ素子１０に結像された画像は公知の方法で画像データに変換される。
【００１６】
而して、本実施の形態に係る画像読取装置では駆動モータ３３をＣＣＤ素子１０とレール２１ａ，２１ｂの間に配置したため、当該画像読取装置の小型化を図りながら所要の物像間距離を確保することができる。
【００１７】
＜実施の形態＞
次に、本発明の実施の形態を図３に基づいて説明する。尚、図３は本実施の形態に係る画像読取装置の平面図であり、本図においては図１に示したと同一要素には同一符号を付しており、以下、それらについての説明は省略する。
【００１８】
本実施の形態では、図３に示すように、本画像読取装置で読み取ることができる最大原稿の中心とＣＣＤ素子４１の配列方向中心及びレンズ４２の中心とを一致させないで、最大原稿画像をＣＣＤ素子４１に結像させる所謂シフトレンズの構成を採用することによって、レンズの画角を広げることなく駆動モータ４３のスペースを拡大させることができ、該駆動モータ４３としてより大きなサイズの高トルクモータを採用して第１走査台２と第２走査台５の走査速度を向上させることが可能となる。
【００１９】
【発明の効果】
以上の説明で明らかなように、本発明によれば、原稿を載置する原稿台と、原稿の画像を撮像する撮像手段と、原稿と撮像手段までの物像間距離を一定に保ちつつ原稿の画像を移動走査する走査手段と、該走査手段を支持する少なくとも１つの支持手段と、前記走査手段を移動させる駆動手段とを備える画像読取装置において、前記駆動手段を前記撮像手段と前記支持手段との間に設けたため、所要の物像間距離を確保しつつ当該画像読取装置のコンパクト化を図ることができるという効果が得られる。
【図面の簡単な説明】
【図１】  本発明の参考実施形態に係る画像読取装置の平面図である。
【図２】  本発明の参考実施形態に係る画像読取装置の側面図である。
【図３】  本発明の実施の形態に係る画像読取装置の平面図である。
【図４】  従来の画像読取装置の平面図である。
【符号の説明】
１  原稿台ガラス（原稿台）
２，５  第１、第２走査台（走査手段）
８，４２  レンズ（結像手段）
９  ＣＣＤ基板（制御手段）
１０，４１  ＣＣＤ素子（撮像手段）
２１ａ，２１ｂ  レール（支持手段）
３３，４３  駆動モータ（駆動手段）
【図１】
0004323658.tif 000002
【図２】
0004323658.tif 000003
【図３】
0004323658.tif 000004
【図４】
0004323658.tif 000005